(57)【要約】【課題】電力の基準値の算出に要するコストと手間を削減する【解決手段】インバータ３からの冷水ポンプ２へのインバータ出力値を定期的に収集し、インバータ出力の実績値（ＩＮＶデータ）を１時間毎に記憶部１−２に記録する。電力量計４からの電力量積算パルスを取り込み、この電力量積算パルスに基づいて求められる１時間毎の電力量の積算値（電力量値）を記憶部１−２に記録する。ＩＮＶデータが９７％を超えたときを最大能力で運転したときの状態と判断し、ＩＮＶデータが３回連続して９７％を超えた場合、その連続が始まってから途切れるまでの間の１時間毎の電力量値を抽出し、この抽出した電力量値を平均することによって１時間当たりの平均電力量を求め、これを電力の基準値ＷＢ  とする。【選択図】        図１
2005003443.tif 000002
【特許請求の範囲】
【請求項１】
可変能力で運転される負荷の運転状態を表す能力値と消費電力量とを所定時間毎に記録する工程と、
前記所定時間毎の能力値に基づいて前記負荷を最大能力で運転したときの消費電力量を前記記録された所定時間毎の消費電力量の中から抽出する工程と、
前記抽出した消費電力量に基づいて前記負荷を最大能力で運転したときに必要とされる単位時間当たりの電力量を電力の基準値として求める工程と
を備えたことを特徴とする電力基準値算出方法。
【請求項２】
可変能力で運転される負荷の運転状態を表す能力値と消費電力量とを所定時間毎に記録する工程と、
前記所定時間毎の能力値が所定回数連続して所定値を超えた場合、その連続が始まってから途切れるまでの間の前記所定時間毎の消費電力量を、前記記録された所定時間毎の消費電力の中から抽出する工程と、
前記抽出した消費電力量に基づいて前記負荷を最大能力で運転したときに必要とされる単位時間当たりの電力量を電力の基準値として求める工程と
を備えたことを特徴とする電力基準値算出方法。
【請求項３】
可変能力で運転される負荷の運転状態を表す能力値からその負荷が最大能力で運転されている状態を最大負荷状態として検出する工程と、
前記負荷へ供給された電力量が所定値に達する毎に電力量積算パルスを発生する工程と、
前記最大負荷状態における前記電力量積算パルスの時間間隔に基づいて前記負荷を最大能力で運転したときに必要とされる単位時間当たりの電力量を電力の基準値として求める工程と
を備えたことを特徴とする電力基準値算出方法。
【請求項４】
可変能力で運転される負荷の運転状態を表す能力値と消費電力量とを所定時間毎に記録する手段と、
前記所定時間毎の能力値に基づいて前記負荷を最大能力で運転したときの消費電力量を前記記録された所定時間毎の消費電力量の中から抽出する手段と、
前記抽出した消費電力量に基づいて前記負荷を最大能力で運転したときに必要とされる単位時間当たりの電力量を電力の基準値として求める手段と
を備えたことを特徴とする電力基準値算出装置。
【請求項５】
可変能力で運転される負荷の運転状態を表す能力値と消費電力量とを所定時間毎に記録する手段と、
前記所定時間毎の可変能力値が所定回数連続して所定値を超えた場合、その連続が始まってから途切れるまでの間の前記所定時間毎の消費電力量を、前記記録された所定時間毎の消費電力量の中から抽出する手段と、
前記抽出した消費電力量に基づいて前記負荷を最大能力で運転したときに必要とされる単位時間当たりの電力量を電力の基準値として求める手段と
を備えたことを特徴とする電力基準値算出装置。
【請求項６】
可変能力で運転される負荷の運転状態を表す能力値からその負荷が最大能力で運転されている状態を最大負荷状態として検出する手段と、
前記負荷へ供給された電力量が所定値に達する毎に発生する電力量積算パルスを入力する手段と、
前記最大負荷状態における前記電力量積算パルスの時間間隔に基づいて前記負荷を最大能力で運転したときに必要とされる単位時間当たりの電力量を電力の基準値として求める手段と
を備えたことを特徴とする電力基準値算出装置。
【発明の詳細な説明】
【０００１】
【発明の属する技術分野】
この発明は、電力量の削減実績を計量するために用いて好適な電力基準値算出方法および装置に関するものである。
【０００２】
【従来の技術】
昨今、「環境問題」が社会問題としてクローズアップされ、省エネルギー法の改正、リサイクル法など多方面から環境負荷削減に対する取り組みが実施されている。最近では、業務用建物（オフィスビル）事業者に対して、環境負荷削減努力の情報開示が求められるようになってきている。
このため、従来においては、ビル内の各種データを自動収集し、管理コンピュータにおいて省エネルギーの実績を算出するようにしている。
【０００３】
例えば、冷水ポンプを負荷とした場合、この負荷への電力の積算値を消費電力量（インバータ制御など可変能力で運転した実際の電力量）ＰＲ  として求め、またこの負荷を最大能力で運転したときに必要とされる単位時間当たりの電力量（例えば、１時間当たりの電力量）を電力の基準値ＷＢ  とし、この電力の基準値ＷＢ  に運転時間を乗じて最大能力で運転したときの推定電力量ＰＥ  を求め、この求めた推定電力量ＰＥ  から消費電力量ＰＲ  を差し引いて削減電力量ΔＰ（ΔＰ＝ＰＥ  −ＰＲ  ）を求めるようにしている（例えば、特許文献１参照）。
【０００４】
この電力量の削減実績の計量方法において、電力の基準値ＷＢ  は前もって計測し、設定しておく。例えば、実際に負荷を最大能力で長時間継続して運転して、その運転中の消費電力量を計測し、この消費電力量の計測結果から、１時間当たりの電力量を求め、これを電力の基準値ＷＢ  とする。
【０００５】
【特許文献１】
特開２００３−１０７１１３号公報
【０００６】
【発明が解決しようとする課題】
しかしながら、上述した電力の基準値ＷＢ  の算出方法によると、電力の基準値ＷＢ  を求めることだけを目的として、負荷を長時間継続して最大能力で運転するという状態を意識的に作り出していたため、過大なコストと手間がかかっていた。
【０００７】
本発明はこのような課題を解決するためになされたもので、その目的とするところは、電力の基準値の算出に要するコストと手間を削減することができる電力基準値算出方法および装置を提供することにある。
【０００８】
【課題を解決するための手段】
このような目的を達成するために本発明は、可変能力で運転される負荷の運転状態を表す能力値と消費電力量とを所定時間毎に記録し、所定時間毎の可変能力値に基づいて負荷を最大能力で運転したときの消費電力量を記録された所定時間毎の消費電力量の中から抽出し、この抽出した消費電力量に基づいて負荷を最大能力で運転したときに必要とされる単位時間当たりの電力量を電力の基準値として求めるようにしたものである。
例えば、負荷の運転状態を表す能力値（可変能力値）を負荷への１時間毎のインバータ出力値（０〜１００％）とし、このインバータ出力値が９７％を超えている状態を最大能力で負荷を運転している状態とする。この最大能力で負荷を運転している状態が所定回数（例えば、３回）連続して発生すると、その連続が始まってから途切れるまでの間の１時間毎の消費電力量を抽出し、この抽出した消費電力量より１時間当たりの平均電力量を算出し、この１時間当たりの平均電力量を電力の基準値（ＷＢ  ）とする。
【０００９】
また、本発明は、可変能力で運転される負荷の運転状態を表す能力値からその負荷が最大能力で運転されている状態を最大負荷状態として検出し、この最大負荷状態における電力量積算パルス（負荷へ供給された電力量が所定値に達する毎に発生するパルス）の時間間隔に基づいて、負荷を最大能力で運転したときに必要とされる単位時間当たりの電力量を電力の基準値として求めるようにしたものである。
例えば、負荷の運転状態を表す能力値（可変能力値）を負荷へのインバータ出力値（０〜１００％）とし、このインバータ出力値が９７％を超えている状態を最大能力で負荷を運転している状態（最大負荷状態）とする。この最大負荷状態を検出し、この最大負荷状態における電力量積算パルスの時間間隔Ｔ（分）に基づいて、電力の基準値ＷＢ  を求める。例えば、負荷へ供給された電力量がＡｋＷｈに達する毎に電力積算パルスが発生するものとした場合、ＷＢ  ＝Ａ・（６０／Ｔ）（ｋＷ）として電力の基準値ＷＢ  を求める。
【００１０】
【発明の実施の形態】
以下、本発明を図面に基づいて詳細に説明する。
〔実施の形態１〕
図１は本発明の実施に用いる電力基準値算出装置の一例の要部を示すブロック図である。同図において、１は本発明に係る電力基準値算出装置であり、プロセッサや記憶装置からなるハードウェアと、これらのハードウェアと協働して各種機能を実現させるプログラムとによって実現される。具体的には、パーソナルコンピュータ（パソコン）にプログラムがインストールされ、このインストールされたプログラムに従うＣＰＵの処理動作として実現される。
【００１１】
電力基準値算出装置１は、データ収集部１−１と、記憶部１−２と、電力基準値算出部１−３とを備えている。データ収集部１−１は、ビル内の各種負荷のデータを定期的に収集し、記憶部１−２に記録する。この例では、説明上、ビル内の負荷として冷水ポンプ２のみを示している。
【００１２】
冷水ポンプ２には、この冷水ポンプ２の回転数を調整するインバータ（ＩＮＶ）３と、冷水ポンプ２への電力の供給路に設けられた電力量計４とが付設されている。
【００１３】
インバータ３は、図示されていない上位装置からの指令を受けてインバータ出力値（０〜１００％）を生成し、冷水ポンプ２の回転数を調整する。インバータ出力値が１００％の場合、冷水ポンプ２の回転数は最大値（定格値）となり、インバータ出力値が０％の場合、冷水ポンプ２の回転数は最小値（０）となる。したがって、この実施の形態では、インバータ出力値が負荷である冷水ポンプ２の運転状態を表す能力値（可変能力値）と考えることができる。
【００１４】
電力量計４は、負荷に所定量の電力量が供給される毎に、すなわち冷水ポンプ２へ供給される電力量が所定値Ａ（この例では、Ａ＝１０ｋＷｈ）に達する毎に、電力量積算パルスを発生する。より詳しくは、電力計４は、負荷に供給される電力（単位時間当たりの電力量）を時間の経過とともに積算し、その積算値が所定値に達する毎に電力積算パルスを発生し、電力量積算パルスを発生した後、電力量の積算値（計測値）をリセットして次の積算（計測）を開始する。
【００１５】
電力基準値算出装置１において、データ収集部１−１は、インバータ３からの冷水ポンプ２へのインバータ出力値（瞬時値）を１時間毎（この例では、正時毎）に収集し、１時間毎のインバータ出力値（ＩＮＶデータ）として記憶部１−２に記録する。また、電力量計４からの電力量積算パルスを取り込み、ＩＮＶデータと対応する１時間毎（正時毎）の電力量の積算値を過去１時間にカウントされた電力量積算パルスの数に上記所定値Ａを乗じることによって求め、この求めた電力量の積算値（消費電力量）を記憶部１−２に記録する。
【００１６】
〔電力の基準値ＷＢ  の算出〕
電力基準値算出装置１において、電力基準値算出部１−３は、記憶部１−２に記録されている１時間毎のＩＮＶデータおよび消費電力量（以下、電力量値という）に基づいて電力の基準値ＷＢ  を算出する。
【００１７】
図２（ａ）に電力基準値算出部１−３において実行される基準値算出処理のフローチャートを示す。なお、このフローチャートの処理を実行する前に、電力基準値算出部１−３には、ＩＮＶデータ抽出条件として、ＩＮＶデータの下限値Ｌｍｉｎ  と連続回数の下限値Ｎｍｉｎ  が設定されているものとする（図２（ｂ）に示すステップ１０１）。また、連続回数のカウント値Ｎの初期値として０が設定されているものとする（図２（ｂ）に示すステップ１０２）。本実施の形態では、ＩＮＶデータの下限値Ｌｍｉｎ  を９７％、連続回数の下限値Ｎｍｉｎ  を３回としている。
【００１８】
ＩＮＶデータの下限値Ｌｍｉｎ  は、最大負荷状態を判断するための閾値であり、ＩＮＶデータが下限値Ｌｍｉｎ  を超えていた場合を最大負荷状態とみなす。連続回数の下限値Ｎｍｉｎ  は、最大負荷状態が所定時間以上継続したか否かを判断するための閾値であり、最大負荷状態が下限値Ｎｍｉｎ  以上連続した場合にのみ電力の基準値ＷＢ  の算出を行う。
【００１９】
電力基準値算出部１−３は、図２（ａ）に示したフローチャートに従い、記憶部１−２からＩＮＶデータを抽出する（ステップ２０１）。図３に記憶部１−２におけるＩＮＶデータの記録状況を例示する。記憶部１−２には収集した日付および時刻と対応付けて１時間毎のＩＮＶデータが記録されている。電力基準値算出部１−３は、この記憶部１−２における１時間毎のＩＮＶデータから、日付および時刻順にＩＮＶデータを抽出する。
【００２０】
電力基準値算出部１−３は、ＩＮＶデータを抽出すると（ステップ２０１）、その抽出したＩＮＶデータと予め設定されているＩＮＶデータの下限値Ｌｍｉｎ  とを比較する（ステップ２０２）。抽出したＩＮＶデータが下限値Ｌｍｉｎ  を超えていなければ（ステップ２０２のＮＯ）、カウント値も下限値Ｎｍｉｎ  に達していないことを確認のうえ（ステップ２０５のＮＯ）、確保データを開放する（ステップ２０７）。そして、カウント値ＮをＮ＝０とし（ステップ２０８）、ＩＮＶデータが終了していないことを確認のうえ（ステップ２０９のＮＯ）、ステップ２０１へ戻って次のＩＮＶデータを抽出する。
【００２１】
抽出したＩＮＶデータが下限値Ｌｍｉｎ  を超えていれば（ステップ２０２のＹＥＳ）、カウント値ＮをＮ＝Ｎ＋１とし（ステップ２０３）、その抽出したＩＮＶデータの日付および時刻を確保し（ステップ２０４）、ＩＮＶデータが終了していないことを確認のうえ（ステップ２０９のＮＯ）、ステップ２０１へ戻って次のＩＮＶデータを抽出する。これを繰り返し、抽出したＩＮＶデータが下限値Ｌｍｉｎ  を下まわったとき、カウント値Ｎと予め設定されている連続回数の下限値Ｎｍｉｎ  とを比較し（ステップ２０５）、カウント値Ｎが下限値Ｎｍｉｎ  に達していなければ（ステップ２０５のＮＯ）、確保データを開放し（ステップ２０７）、カウント値ＮをＮ＝０とし（ステップ２０８）、ＩＮＶデータが終了していないことを確認のうえ（ステップ２０９のＮＯ）、ステップ２０１へ戻って次のＩＮＶデータを抽出する。カウント値Ｎが下限値Ｎｍｉｎ  に達していれば（ステップ２０５のＹＥＳ）、ステップ２０６へ進む。
【００２２】
例えば、図３に示した「２００１年０５月０７日（月）」のＩＮＶデータの場合について説明すると、１時〜１３時までのＩＮＶデータは下限値Ｌｍｉｎ  （９７％）を超えていない。したがって、ＩＮＶデータを抽出する毎に、確保データの開放，カウント値ＮはＮ＝０の処理を経て、次のＩＮＶデータが抽出される。
【００２３】
１４時のＩＮＶデータは下限値Ｌｍｉｎ  （９７％）を超えている。このため、ステップ２０２のＹＥＳに応じてステップ２０３へ進み、カウント値Ｎが１アップされてＮ＝１となる。また、そのＩＮＶデータの日付および時刻が確保され（ステップ２０４）、ＩＮＶデータが終了していないことを確認のうえ（ステップ２０９のＮＯ）、ステップ２０１へ戻り、次のＩＮＶデータとして１５時のＩＮＶデータが抽出される。
【００２４】
１５時のＩＮＶデータも１４時のＩＮＶデータと同様、下限値Ｌｍｉｎ  （９７％）を超えているため、ステップ２０３へ進む。この場合、カウント値Ｎが１アップされてＮ＝２となり、そのＩＮＶデータの日付および時刻が確保され（ステップ２０４）、ＩＮＶデータが終了していないことを確認のうえ（ステップ２０９のＮＯ）、ステップ２０１へ戻り、次のＩＮＶデータとして１６時のＩＮＶデータが抽出される。
【００２５】
１６時，１７時，１８時と繰り返し、次に１９時のＩＮＶデータを抽出し（ステップ２０８）、ＩＮＶデータの下限値Ｌｍｉｎ  と比較する（ステップ２０９）。１９時のＩＮＶデータは７９％であり、下限値Ｌｍｉｎ  （９７％）を超えておらず、最大負荷状態の連続が途切れ、このときＮ＝５となっている。
【００２６】
カウント値Ｎが連続回数の下限値Ｎｍｉｎ  に達すると（ステップ２０５のＹＥＳ）、電力基準値算出部１−３は、ステップ２０４で確保したＩＮＶデータの日付時刻と同じ時系列の電力量値を記憶部１−２から抽出する（ステップ２０６）。この場合、「２００１年０５月０７日（月）」の１４時，１５時，１６時，１７時，１８時の電力量値を記憶部１−２から抽出する（ステップ２０６）。抽出したデータは一時記憶しておく。
【００２７】
そして、確保データを開放し（ステップ２０７）、カウント値ＮをＮ＝０とし（ステップ２０８）、ＩＮＶデータが終了していないことを確認のうえ（ステップ２０９のＮＯ）、ステップ２０１へ戻って次のＩＮＶデータを抽出する。
【００２８】
これをＩＮＶデータがなくなるまで繰り返す。
この場合、ステップ２０９での比較結果がＹＥＳとなり、電力基準値算出部１−３は、ステップ２０６で抽出した全ての電力量値を使用して電力の基準値ＷＢ  の算出を行う（ステップ２１０）。例えばデータ期間が「２００１年０５月０７日（月）」だけであれば、記憶部１−２から抽出した１４時，１５時，１６時，１７時，１８時の電力量値（図４参照）を平均することにより、１時間当たりの平均電力量を求め、この１時間当たりの平均電力量を電力の基準値ＷＢ  とする。
【００２９】
上述した「電力の基準値ＷＢ  の算出」においては、ＩＮＶデータが「２００１年０５月０７日（月）」のだけの場合を例にとって説明したが、「２００１年０５月０８日（火）」のＩＮＶデータにおいては、１１時，１２時，１３時，１４時のＩＮＶデータがＮｍｉｎ  以上連続してＬｍｉｎ  を超えており、実際はデータ期間の全ての抽出が終わったあとに、抽出された電力量値を平均することによって１時間当たりの平均電力量が求められ、この１時間当たりの平均電力量が電力の基準値ＷＢ  とされる。
【００３０】
このようにして、電力基準値算出部１−３は、ＩＮＶデータが９７％を超えたときを最大能力で運転したときの状態（最大負荷状態）と判断し、ＩＮＶデータが３回連続して９７％を超えた場合、その連続が始まってから途切れるまでの間の１時間毎の電力量値を抽出し、この抽出した電力量値を使用して電力の基準値ＷＢ  の算出を行う。このような方法で電力の基準値ＷＢ  を算出することにより、冷水ポンプ２を長時間継続して最大能力で運転するという状態を意識的に作り出す必要がなくなり、電力の基準値ＷＢ  の算出に要するコストと手間を大幅に削減することができるようになる。
【００３１】
なお、この実施の形態１では、記憶部１−２に１時間毎のＩＮＶデータおよび電力量値を記録するようにしたが、必ずしも１時間毎のＩＮＶデータおよび電力量値を記録するようにしなくてもよい。例えば、３０分毎のＩＮＶデータおよび電力量値を記録するようにしてもよい。この場合、３０分毎の電力量値を平均し、その平均値を２倍して１時間当たりの平均電力量を求め、これを電力の基準値ＷＢ  とする。
【００３２】
また、この実施の形態１では、Ｎｍｉｎ  ＝３とし、ＩＮＶデータが３回連続して９７％を超えた場合、その連続が始まってから途切れるまでの間の１時間毎の電力量値を抽出したが、ＩＮＶデータが３回連続して９７％を超えた場合、直ちにその間の１時間毎の電力量値を抽出し、この抽出した電力量値を使用して電力の基準値ＷＢ  の算出を行うようにしてもよい。
【００３３】
また、この実施の形態１では、ＩＮＶデータが３回連続して９７％を超えた場合、その連続が始まってから途切れるまでの間の全ての１時間毎の電力量値を抽出したが、最初の１時間の電力量値は信頼性が高くないと思われるので、正確さを期するために、除くようにしてもよい。
【００３４】
〔実施の形態２〕
実施の形態１では、負荷を冷水ポンプ２としたが、例えば図５に示すように、冷水ポンプ５−１〜５−ｎからなる冷水ポンプ群５を負荷としてもよい。図５の例では、台数制御部６によって同容量の冷水ポンプ５−１〜５−ｎの台数制御を行っている。また、運転中ポンプのインバータ出力は全て同じ値で制御している。
【００３５】
この場合、ＩＮＶデータは、運転中ポンプのインバータ出力平均値を用い、電力量値は、電力量計４から取り込むパルスに所定値Ａを乗じて求める消費電力量を、運転台数で割った値を用いることにより、ポンプ１台当たりの電力の基準値ＷＢ  を求めることができる。
【００３６】
〔実施の形態３〕
実施の形態１では、記憶部１−２に記録した１時間毎のＩＮＶデータと電力量値に基づいて電力の基準値ＷＢ  を算出するようにしたが、インバータ３からの冷却ポンプ２へのインバータ出力値と電力量計４からの電力量積算パルスの時間間隔から求めることも可能である。
【００３７】
この場合、図６に示すように、電力基準値算出装置７にデータ収集部７−１と電力基準値算出部７−２を設ける。電力基準値算出装置７において、データ収集部７−１は、インバータ３から冷水ポンプ２へのインバータ出力値（可変能力値）を定期的に収集し、収集したインバータ出力値としきい値（この例では、９７％）とを比較し、インバータ出力値が９７％を超えている状態を最大負荷状態として検出する。また、データ収集部７−１は、電力量計４からの電力量積算パルスを取り込み、最大負荷状態における電力量積算パルスの時間間隔Ｔを電力基準値算出部７−２へ送る。
【００３８】
電力基準値算出部７−２は、データ収集部７−１から送られてくる最大負荷状態における電力量積算パルスの時間間隔Ｔに基づいて、電力の基準値ＷＢ  を求める。この例において、電力基準値算出部７−２には、電力量計４からの電力量積算パルスの１パルス当たりの電力量（ＡｋＷｈ／パルス）が設定されている。電力基準値算出部７−２は、電力量積算パルスの時間間隔Ｔの単位を分とした場合、下記の（１）式より電力の基準値ＷＢ  を求める（図７参照）。
ＷＢ  ＝Ａ・（６０／Ｔ）（ｋＷ）・・・・（１）
【００３９】
実施の形態１では、１時間毎のＩＮＶデータが３回連続して９７％を超えなければ電力の基準値ＷＢ  を求めることができなかったが、実施の形態３では、定期的に収集されるインバータ出力値が９７％を超えている状態（最大負荷状態）になると、すぐにその最大負荷状態における電力量積算パルスの時間間隔Ｔから電力の基準値ＷＢ  を求めることができる。
【００４０】
なお、最大負荷状態における電力量積算パルスの時間間隔Ｔを複数回計測し、この複数回の電力量積算パルスの時間間隔Ｔの差が閾値以内である場合にのみ、電力の基準値ＷＢ  の算出を行うようにしてもよい。
【００４１】
例えば、図８に示すように、最大負荷状態における電力量積算パルスの時間間隔Ｔ１，Ｔ２，Ｔ３を計測し、Ｔ１とＴ２との差（ΔＴ１２）、Ｔ１とＴ３との差（ΔＴ１３）、Ｔ２とＴ３との差（ΔＴ２３）を求める。この差ΔＴ１２，ΔＴ１３，ΔＴ２３の絶対値が何れも所定値α以内であれば、Ｔ１，Ｔ２，Ｔ３の平均値として電力量積算パルスの時間間隔Ｔを求め、この電力量積算パルスの時間間隔Ｔを上記（１）式に代入して電力の基準値ＷＢ  を求める。これにより、より正確に、電力の基準値ＷＢ  を求めることができる。
【００４２】
【発明の効果】
以上説明したことから明らかなように本発明によれば、所定時間毎の可変能力値に基づいて負荷を最大能力で運転したときの消費電力量を所定時間毎の消費電力量の中から抽出し、この抽出した消費電力量に基づいて電力の基準値を求めることにより、また、可変能力値から最大負荷状態を検出し、この最大負荷状態における電力量積算パルスの時間間隔に基づいて電力の基準値を求めることにより、負荷を長時間継続して最大能力で運転するという状態を意識的に作り出す必要がなくなり、電力の基準値の算出に要するコストと手間を削減することができるようになる。
【図面の簡単な説明】
【図１】本発明の実施に用いる電力基準値算出装置の一例の要部を示すブロック図（実施の形態１）である。
【図２】この電力基準値算出装置において実行される基準値算出処理のフローチャートである。
【図３】この電力基準値算出装置の記憶部におけるＩＮＶデータの記録状況を示す図である。
【図４】この電力基準値算出装置の記憶部からの電力量値の抽出状況を示す図である。
【図５】実施の形態１において冷水ポンプ群を負荷とした場合の変形例（実施の形態２）を示す図である。
【図６】インバータ出力値と電力量積算パルスの時間間隔から電力の基準値を求める例（実施の形態３）を示す図である。
【図７】インバータ出力値と電力量積算パルスの時間間隔から電力の基準値を求める場合の算出式を説明する図である。
【図８】最大負荷状態における複数個の電力量積算パルスの時間間隔から電力の基準値を求める方法を説明する図である。
【符号の説明】
１…電力基準値算出装置、１−１…データ収集部、１−２…記憶部、１−３…電力基準値算出部、２…冷水ポンプ、３…インバータ、４…電力量計、５…冷水ポンプ群、５−１〜５−ｎ…冷水ポンプ、６…台数制御部、７……電力基準値算出装置、７−１…データ収集部。
【図１】
2005003443.tif 000003
【図２】
2005003443.tif 000004
【図３】
2005003443.tif 000005
【図４】
2005003443.tif 000006
【図５】
2005003443.tif 000007
【図６】
2005003443.tif 000008
【図７】
2005003443.tif 000009
【図８】
2005003443.tif 000010